(57)【要約】【課題】装置全体としての利用効率を高水準に維持する。【解決手段】表示制御部７７は、アクセスユーザに係るユーザ識別情報と、有効化情報記憶部７５の記憶内容と、操作情報取得部７３で取得した操作情報と、に基づいて、有効化情報記憶部７５の記憶内容のうち、該当アクセスユーザに係る有効化情報テーブルから、該当する機能キーに係る有効化情報を読み出すとともに、読み出した有効化情報に従うプレビュー表示制御を実行するので、従って、プレビュー機能の存在がユーザに喚起されることを通じて、プレビュー機能の活用が促進される。【選択図】  図３
2010012732.tif 000002
【特許請求の範囲】
【請求項１】
各種情報を表示するための表示部を備える一方、
印刷機能と、該印刷機能を実行することで得られる印刷物の出力に先立って、同印刷物の仕上がりイメージを前記表示部における表示画面上に表示するプレビュー機能を有する画像形成装置であって、
画像形成に関する各種機能に係る項目を選択乃至設定する際に操作される機能キーに係る操作情報を取得する操作情報取得部と、
前記プレビュー機能の有効化に係る有効化情報を、前記各種機能にそれぞれ対応付けて記憶する有効化情報記憶部と、
前記有効化情報記憶部の記憶内容と、前記操作情報取得部で取得した操作情報と、に基づき前記記憶内容から読み出した、該当する機能キーに係る有効化情報が、前記プレビュー機能の活用を促すべき旨を内容とするとき、前記プレビュー機能の活用を促す催促画面を前記表示部における表示画面上に表示させる表示制御部と、
を備えたことを特徴とする画像形成装置。
【請求項２】
請求項１に記載の画像形成装置であって、
前記表示制御部は、
前記記憶内容から読み出した、該当する機能キーに係る有効化情報が、前記プレビュー機能を遂行すべき旨を内容とするとき、当該機能キーに係る印刷物の仕上がりイメージ画面を前記表示部における表示画面上に強制表示させる、
ことを特徴とする画像形成装置。
【請求項３】
請求項１又は２に記載の画像形成装置であって、
前記表示制御部は、
前記記憶内容から読み出した、該当する機能キーに係る有効化情報が、前記プレビュー機能を無効化すべき旨を内容とするとき、画像形成の状況に従う画面を前記表示部における表示画面上に表示させる、
ことを特徴とする画像形成装置。
【請求項４】
請求項１〜３のうちいずれか一項に記載の画像形成装置であって、
有効化情報記憶部は、
複数の各ユーザ毎の、前記プレビュー機能の有効化に係る有効化情報を、前記各種機能にそれぞれ対応付けて記憶しており、
前記表示制御部は、
あるユーザがアクセスしてきたとき、前記記憶内容から、当該ユーザに係る有効化情報を読み出して、該読み出した該当ユーザに係る有効化情報に基づいて、当該有効化情報に従う画面を前記表示部における表示画面上に表示させる、
ことを特徴とする画像形成装置。
【発明の詳細な説明】
【技術分野】
【０００１】
本発明は、印刷機能と、該印刷機能を実行することで得られる印刷物の出力に先立って、同印刷物の仕上がりイメージを予め表示画面上に表示するプレビュー機能を有する画像形成装置に係り、特に、プレビュー機能の利用を喚起することを通じて、装置全体としての利用効率を高水準に維持可能とする画像形成装置に関する。
【背景技術】
【０００２】
従来、印刷機能を有する画像形成装置では、ユーザの多様なニーズに応えるために、例えば、冊子作成機能やステープル留め機能をはじめとして、多機能化が進展してきている。
【０００３】
こうした画像形成装置によって所要の印刷物を得るために、ユーザは、同装置に備えられた画像形成処理に関する各種機能のなかから自身の要求に合った機能に係る項目を選択的に設定するとともに、同機能項目に係る細部の内容を設定してゆくことになる。この設定作業のいかんによって、ユーザの要求に合った印刷物が得られるか否かが決せられる。従って、所要の印刷物を得るためには、ユーザの要求を細部まで忠実に反映させつつ上記設定作業をいかにして進めるか、がきわめて重要な鍵となる。特に、最近の画像形成装置では、より一層の多機能化の進展に伴って、その設定操作もかなり複雑になっている。そのため、自分では正しい設定を行ったつもりでも、実際にはその設定内容に誤りがあり、その結果として得られた印刷物が予想外の仕上りになってしまうケースも少なくない。
【０００４】
かかる課題を解決するためのアプローチのひとつとして、印刷データに基づきプレビュー用元画像を作成するプレビュー用元画像作成部と、機器固有のプレビュー用部品画像を作成するプレビュー用部品画像作成部と、プレビュー用元画像およびプレビュー用部品画像からプレビュー画像を合成するプレビュー画像合成部と、プレビュー画像を保持するプレビュー画像保持部とを有する画像処理装置が提案されている（特許文献１参照）。
【０００５】
特許文献１に係るプレビュー機能によれば、印刷物の仕上がりイメージを正確に表したプレビュー画像が表示されるので、例えその設定内容に誤りがあったとしても、プレビュー画像を視てその誤りを修正しつつ設定作業を行うことにより、得られた印刷物が予想外の仕上りになってしまう事態を未然に抑止することを期待することができる。
【０００６】
ところが、本願発明者の研究によると、画像形成装置を用いて所要の印刷物を得ようと試みるユーザが、プレビュー機能の存在乃至その使い方に疎いユーザであったときには、折角のプレビュー機能を有効に活用出来ないのみならず、装置全体としての利用効率をも落としかねないことがわかった。
【特許文献１】特開２００７−１１１９０６号公報
【発明の開示】
【発明が解決しようとする課題】
【０００７】
解決しようとする課題は、プレビュー機能の利用を喚起することを通じて、装置全体としての利用効率を高水準に維持可能とする画像形成装置を提供することである。
【課題を解決するための手段】
【０００８】
本発明は、プレビュー機能の利用を喚起することを通じて、装置全体としての利用効率を高水準に維持可能とする画像形成装置を提供することを目的として、各種情報を表示するための表示部を備える一方、印刷機能と、該印刷機能を実行することで得られる印刷物の出力に先立って、同印刷物の仕上がりイメージを前記表示部における表示画面上に表示するプレビュー機能を有する画像形成装置であって、画像形成に関する各種機能に係る項目を選択乃至設定する際に操作される機能キーに係る操作情報を取得する操作情報取得部と、前記プレビュー機能の有効化に係る有効化情報を、前記各種機能にそれぞれ対応付けて記憶する有効化情報記憶部と、前記有効化情報記憶部の記憶内容と、前記操作情報取得部で取得した操作情報と、に基づき前記記憶内容から読み出した、該当する機能キーに係る有効化情報が、前記プレビュー機能の活用を促すべき旨を内容とするとき、前記プレビュー機能の活用を促す催促画面を前記表示部における表示画面上に表示させる表示制御部と、を備えたことを最も主要な特徴とする。
【発明の効果】
【０００９】
本発明に係る画像形成装置では、表示制御部は、有効化情報記憶部の記憶内容と、操作情報取得部で取得した操作情報と、に基づき前記記憶内容から読み出した、該当する機能キーに係る有効化情報が、プレビュー機能の活用を促すべき旨を内容とするとき、プレビュー機能の活用を促す催促画面を表示部における表示画面上に表示させるので、従って、プレビュー機能の利用がユーザに喚起されることを通じて、プレビュー機能の活用が促進される結果として、装置全体としての利用効率を高水準に維持することができる。
【発明を実施するための最良の形態】
【００１０】
装置全体としての利用効率を高水準に維持可能とするといった目的を、前記有効化情報記憶部の記憶内容と、前記操作情報取得部で取得した操作情報と、に基づき前記記憶内容から読み出した、該当する機能キーに係る有効化情報が、前記プレビュー機能の活用を促すべき旨を内容とするとき、前記プレビュー機能の活用を促す催促画面を前記表示部における表示画面上に表示させる表示制御部により実現した。
【実施例】
【００１１】
以下、本発明に係る画像形成装置について、図面を参照しつつ詳細に説明する。
【００１２】
［画像形成装置周辺の概略構成］
図１は、本発明実施例に係る画像形成装置の概略構成を示す機能ブロック図、図２は、同画像形成装置における操作パネル部の外観図である。
【００１３】
本装置は、例えば、コピージョブ、Fax送信ジョブ、印刷ジョブ、又はネットワーク送信（メール送信やデータ送信）ジョブを含む諸機能が利用可能であり、マイクロコンピュータ及び専用のハードウェア回路等から構成される主制御部１１によって制御される。この主制御部１１に接続され諸機能を担う入出力機器として、本装置は、スキャナ部２１、画像処理部３１、エンジン部４１、操作パネル部５１、ファクシミリ通信部６１、ＨＤＤ（ハードディスクドライブ）６３、ネットワークＩ／Ｆ（インタフェース）部６５、並びに、ＩＣカード通信部６７を備える。
【００１４】
主制御部１１は、スキャナ機能を実現するための動作制御を行うスキャナコントローラ１３と、ファクシミリ機能を実現するための動作制御を行うファクシミリコントローラ１５、プリンタ機能を実現するための動作制御を行うプリンタコントローラ１７、並びに、コピー機能を実現するための動作制御を行うコピーコントローラ１９を内蔵し、本装置全体の動作を統括制御する。
【００１５】
スキャナ部２１は、図示しないスキャナを構成する画像照射ランプ２３及びＣＣＤ（電荷結合素子：Charge Coupled Device）センサー２５を含む。スキャナ部２１は、画像照射ランプ２３により原稿を照射し、その反射光をＣＣＤセンサー２５で受光することにより、原稿から画像を読み取り、読み取った画像に対応する画像データを画像処理部３１へ出力する。
【００１６】
画像処理部３１は、補正部３３、画像加工部３５及び画像メモリ３７を含む。画像処理部３１は、スキャナ部２１で読み取られた画像データを必要に応じて補正部３３及び画像加工部３５により処理し、処理された画像データを画像メモリ３７に記憶したり、エンジン部４１、ファクシミリ通信部６１等へ出力する。補正部３３は、スキャナ部２１で読み取られた画像データに対してレベル補正、ガンマ補正等の所定の補正処理を行う。画像加工部３５は、画像データの圧縮又は伸張処理、及び拡大又は縮小処理等の種々の加工処理を行う。
【００１７】
エンジン部４１は、図示しない給紙カセットや給紙ローラ等から構成される用紙搬送部４３、図示しない感光体ドラム、露光装置、現像装置等から構成される画像形成部４５、図示しない転写ローラ等から構成される転写部４７、及び図示しない定着ローラ等から構成される定着部４９を含む。エンジン部４１は、スキャナ部２１で読み取られた画像データ、ネットワークＩ／Ｆ部６５を介してＬＡＮ（Local Area Network）によりクライアントＰＣ（パーソナルコンピュータ）等から送信された画像データ、ファクシミリ通信部６１を用いて外部のファクシミリ装置等から受信したファクスデータ等の画像データを用いて画像を用紙に印刷する。具体的には、用紙搬送部４３は用紙を画像形成部４５へ搬送し、画像形成部４５は上記の画像データに対応するトナー像を形成し、転写部４７はトナー像を用紙に転写し、定着部４９はトナー像を用紙に定着させて画像を形成する。
【００１８】
操作パネル部５１は、図１及び図２に示すように、タッチパネル部５３及び機能キー部５５を含む。操作パネル部５１は、ユーザがスキャナ機能、ファクシミリ機能、プリンタ機能、コピー機能等に関する操作を行うために使用され、ユーザによる操作指令等を主制御部１１に与える。
【００１９】
本発明において表示部として機能するタッチパネル部５３は、タッチパネルとカラーＬＣＤ（Liquid Crystal Display）とを組み合わせたタッチパネルユニット等から構成され、種々の操作画面、例えば、コピー機能実行時には、原稿サイズ、コピーサイズ、複写部数等に関する情報を表示するとともに、ユーザが該当部分をタッチすることにより種々の操作指令を入力するための操作ボタン類を表示する。また、タッチパネル部５３は、印刷機能を実行することで得られる印刷物の出力に先立って、同印刷物の仕上がりイメージを表示画面上にプレビュー表示する際に用いられる。さらに、タッチパネル部５３は、後述する有効化情報の内容に従って、有効化情報がプレビュー機能の活用を促すべき旨を内容とするとき、プレビュー機能の活用を促す催促画面を表示画面上に表示する際に用いられる。
【００２０】
機能キー部５５は、画像形成に関する各種機能に係る項目を選択乃至設定する際に操作される複数の機能キーを備えており、例えば、コピー機能、プリンタ機能、スキャナ機能、ファクシミリ機能等の主機能をはじめとして、ページ集約、ステープル留め、冊子作成、或いはパンチ孔開け等の副機能を含む各種機能のなかから、所要の機能項目に係るキー入力操作をユーザが選択的に実行する際に、又は、ユーザが複写部数やコピー実行指令などを操作入力する際に用いられる。
【００２１】
ファクシミリ通信部６１は、符号化／復号化部（図示省略）、変復調部（図示省略）及びＮＣＵ（Network Control Unit）（図示省略）を含む。ファクシミリ通信部６１は、スキャナ部２１によって読み取られた原稿の画像データを電話回線を介してファクシミリ装置等へ送信したり、ファクシミリ装置等から送信された画像データを受信する。
【００２２】
ＨＤＤ（ハードディスクドライブ）６３は、スキャナ部２１によって読み取られた画像データ及び同画像データに設定されている出力形式等の種々のデータ等を記憶する。ＨＤＤに記憶されている画像データは、画像形成装置、プログラム及び記録媒体内部で使用されるだけでなく、必要に応じて、ネットワークＩ／Ｆ部６５を介してクライアントＰＣ等から確認したり、クライアントＰＣやＦＴＰサーバ等の所定のフォルダへ転送される。
【００２３】
ネットワークＩ／Ｆ部６５は、ネットワークインタフェース（１０／１００Ｂａｓｅ−ＴＸ）等を用い、ＬＡＮを介して接続されたクライアントＰＣ等のユーザ端末６７に対する種々のデータの送受信を制御する。
【００２４】
ＩＣカード通信部６７は、ユーザが所持しているＩＣタグ等のカードキー６９のアクセスを検知し、カードキー６９に記憶されているユーザ識別情報を読み出して、主制御部１１に転送する機能を備えている。
【００２５】
ところで、プレビュー機能の利用を喚起することを通じて、装置全体としての利用効率を高水準に維持可能とするために、主制御部１１は、ユーザがアクセスしてくる毎に、当該ユーザが正規ユーザか否かに係るユーザ認証を行うユーザ認証部７０と、ユーザ認証部７０におけるユーザ認証の結果、当該ユーザが正規ユーザである旨の判定が下されたとき、当該ログインユーザに係る識別情報を取得するユーザ識別情報取得部（以下、ユーザＩＤ取得部という。）７１と、複数の機能キーに係る操作情報を取得する操作情報取得部７３と、プレビュー機能の有効化に係る有効化情報を、各種機能（例えば、ページ集約機能、ステープル留め機能、冊子作成機能など）にそれぞれ対応付けて記憶する有効化情報記憶部７５と、有効化情報記憶部７５の記憶内容と、操作情報取得部７３で取得した操作情報と、に基づき前記記憶内容から読み出した、該当する機能キーに係る有効化情報が、プレビュー機能の活用を促すべき旨を内容とするとき、プレビュー機能の活用を促す催促画面をタッチパネル部５３における表示画面上に表示させる表示制御部７７と、を備えて構成されている。
【００２６】
［本発明実施例に係る画像形成装置の動作］
次に、本発明実施例に係る画像形成装置の動作について、図３及び図４を参照して説明する。図３は、本画像形成装置の動作フローチャート図、図４（１），（２）は、各ユーザ毎に用意される有効化情報テーブルの具体例を示す説明図である。
【００２７】
本動作説明に先立って、前提となる画像形成装置の構成に言及する。本画像形成装置は、ユーザが所持するカードキー６９との間で認証情報に係るデータ交換を通じて装置の使用を許可するカードキー認証モードと、ユーザ識別情報及び暗証番号（認証情報）のキー入力操作をユーザに要求することを通じて装置の使用を許可するパネル認証モードとを二通り備えており、原則として、カードキー認証モードで動作している。以下の実施例では、原則通りの処理であるカードキー認証モードでの、画像形成装置の動作について説明してゆく。
【００２８】
図３に示すように、まず、ＩＣカード通信部６７は、ＩＣカードキー６９のアクセスを常時監視している。このとき、ユーザが、ＩＣカードキー６９を画像形成装置におけるＩＣカードリーダライタ（不図示）にセットすると、ＩＣカード通信部６７は、ＩＣカードキー６９のアクセスを検知する（ステップＳ１１）とともに、ＩＣカードキー６９に記憶されているユーザ識別情報を読み取り、読み取ったＩＣカードキー６９のユーザ識別情報を、主制御部１１宛に転送する。
【００２９】
主制御部１１（具体的には、ユーザ認証部７０）は、ＩＣカード通信部６７から転送されてきたユーザ識別情報と、カスタマイズ情報記憶部７３に予め登録されているユーザ識別情報等を照合することで、カードキー認証を介してアクセスしてきたユーザが正規ユーザか否かに係るユーザ認証を行う（ステップＳ１２）。なお、ユーザ認証に際して、暗証番号によるログイン管理機能を追加しても良い。
【００３０】
ステップＳ１２のユーザ認証の結果、アクセスユーザが正規ユーザである旨の承認がなされると、操作情報取得部７３は、アクセスユーザが操作キー部５５を介して入力した操作情報を取得し（ステップＳ１３）、取得した操作情報を表示制御部７７に渡す。
【００３１】
これを受けて表示制御部７７は、アクセスユーザに係るユーザ識別情報と、有効化情報記憶部７５の記憶内容と、操作情報取得部７３で取得した操作情報と、に基づいて、有効化情報記憶部７５の記憶内容のうち、該当アクセスユーザに係る有効化情報テーブル（例えば図４（１），（２）参照）から、該当する機能キーに係る有効化情報を読み出す（ステップＳ１４）とともに、読み出した有効化情報に従うプレビュー表示制御を実行する（ステップＳ１５〜Ｓ１８）。
【００３２】
すなわち、有効化情報が、プレビュー機能の活用を促すべき旨（プレビュー機能が有効であって、その有効化の内容が催促である場合をいい、以下では「有効：催促」と省略する。）を内容とするとき（ステップＳ１５における「有効：催促」）、表示制御部７７は、プレビュー機能の活用を促す催促画面をタッチパネル部５３における表示画面上に表示させる（ステップＳ１６）。また、有効化情報が、プレビュー機能の遂行すべき旨（プレビュー機能が有効であって、その有効化の内容が強制表示である場合をいい、以下では「有効：強制」と省略する。）を内容とするとき（ステップＳ１５における「有効：強制」）、表示制御部７７は、該当する機能キーに係る印刷物の仕上がりイメージ画面をタッチパネル部５３における表示画面上に強制表示させる（ステップＳ１７）。そして、有効化情報が、プレビュー機能を無効化すべき旨（プレビュー機能が無効である場合をいい、以下では「無効」と省略する。）を内容とするとき（ステップＳ１５における「無効」）、表示制御部７７は、画像形成の状況に従う通常の画面をタッチパネル部５３における表示画面上に表示させる（ステップＳ１８）。
【００３３】
従って、本発明実施例に係る有効化情報に基づくプレビュー表示制御によれば、プレビュー機能の利用を喚起することを通じて、装置全体としての利用効率を高水準に維持することができる。
【００３４】
ところで、本発明実施例に係る有効化情報に基づくプレビュー表示制御を実現するにあたり、有効化情報記憶部７５の記憶内容として、いかなるデータ様式を採用すべきか、が問題となる。
【００３５】
そこで、複数の各ユーザ毎に用意される有効化情報テーブルの具体例について、図４（１），（２）を参照して説明する。
【００３６】
図４（１）に示す有効化情報テーブルは、ユーザＡが画像形成装置に関して平均レベルの知識及び経験を備えたユーザであると仮定したときの具体例であり、「ページ集約」及び「ステープル留め」機能については、過去に使用経験がある等の理由によってプレビュー機能が不要である蓋然性が高いことを鑑みて、必要に応じてプレビュー画面を表示させる「有効：催促」に係る有効化情報がそれぞれ対応付けられる一方、「冊子作成」機能については、過去の使用経験がない蓋然性が高いことを鑑みて、プレビュー画面を強制表示させる「有効：強制」に係る有効化情報が対応付けられている。
【００３７】
一方、「図４（２）に示す有効化情報テーブルは、ユーザＢが画像形成装置に関して高度の知識及び経験を備えたユーザであると仮定したときの具体例であり、「ページ集約」及び「ステープル留め」機能については、過去の使用経験が豊富にあってプレビュー機能が不要である蓋然性が高いことを鑑みて、プレビュー機能を無効化する「無効」に係る有効化情報がそれぞれ対応付けられる一方、「冊子作成」機能については、過去の使用経験が豊富とはいえない蓋然性が高いことを鑑みて、必要に応じてプレビュー画面を表示させる「有効：催促」に係る有効化情報が対応付けられている。
【００３８】
上述した図４（１），（２）に係る有効化情報テーブルにおいて特筆すべき点は、複数の各ユーザ毎の画像形成装置に関する知識及び経験等の熟練度に応じて、必要に応じてプレビュー画面を表示させる「有効：催促」と、プレビュー画面を強制表示させる「有効：強制」と、プレビュー機能を無効化する「無効」と、の三段階に、プレビュー機能の有効化に係るレベルをきめこまかく振り分けることが可能な点である。このように、複数の各ユーザ毎の画像形成装置に関する熟練度に応じて、プレビュー機能の有効化に係るレベルをきめこまかく振り分ける構成を採用すれば、装置全体としての利用効率を高水準に維持する効果に加えて、ユーザは、あたかも自身のためにカスタマイズされているかのような印象を装置に対して抱くことになる結果、ユーザに対する親和性・操作性・利便性を具現化可能な画像形成装置を得ることができる。
【００３９】
［実施例の効果］
以上述べたように、本発明実施例に係る画像形成装置によれば、表示制御部７７は、アクセスユーザに係るユーザ識別情報と、有効化情報記憶部７５の記憶内容と、操作情報取得部７３で取得した操作情報と、に基づいて、有効化情報記憶部７５の記憶内容のうち、該当アクセスユーザに係る有効化情報テーブルから、該当する機能キーに係る有効化情報を読み出すとともに、読み出した有効化情報に従うプレビュー表示制御を実行するので、従って、プレビュー機能の存在がユーザに喚起されることを通じて、プレビュー機能の活用が促進される結果として、装置全体としての利用効率を高水準に維持することができる。
【００４０】
また、本発明実施例に係る画像形成装置によれば、複数の各ユーザ毎の画像形成装置に関する熟練度に応じて、プレビュー機能の有効化に係るレベルをきめこまかく振り分けるようにしたので、装置全体としての利用効率を高水準に維持する効果に加えて、ユーザは、あたかも自身のためにカスタマイズされているかのような印象を装置に対して抱くことになる結果、ユーザに対する親和性・操作性・利便性を具現化可能な画像形成装置を得ることができる。
【００４１】
［その他］
本発明は、上述した実施例に限られるものではなく、請求の範囲及び明細書全体から読み取れる発明の要旨、あるいは技術思想に反しない範囲で適宜変更可能であり、そのような変更を伴う画像形成装置もまた、本発明における技術的範囲の射程に包含されるものである。
【００４２】
すなわち、本発明実施例において、カードキー認証モードで動作中の画像形成装置を例示して説明したが、本発明はかかる実施例に限定されるものではなく、例えば、ユーザ識別情報及び暗証番号のキー入力操作をユーザに要求することを通じて装置の使用を許可するパネル認証モードで動作中の画像形成装置にも、本発明を適用可能である。
【００４３】
また、本発明実施例において、有効化情報の対象となる機能として、「ページ集約」、「ステープル留め」、及び「冊子作成」の各機能を例示して説明したが、本発明はかかる実施例に限定されるものではなく、上述した例以外にも、画像形成装置に搭載される機能である限り、いかなる機能をも有効化情報の対象とすることができる。
【００４４】
最後に、本発明における「ユーザ」とは、個人ユーザを含むことは当然として、例えば、ある部署の所属員を包括して意味する部門ユーザをも、その概念に含むことはいうまでもない。
【図面の簡単な説明】
【００４５】
【図１】本発明に係る画像形成装置の概略構成を示す機能ブロック図である。
【図２】同画像形成装置における操作パネル部の外観図である。
【図３】本画像形成装置の動作説明に供するフローチャート図である。
【図４】複数の各ユーザ毎に用意される有効化情報テーブルの具体例を示す説明図である。
【符号の説明】
【００４６】
１１  主制御部
５３  タッチパネル部（表示部）
７０  ユーザ認証部
７１  ユーザＩＤ取得部
７３  操作情報取得部
７５  有効化情報記憶部
７７  表示制御部
【図１】
2010012732.tif 000003
【図２】
2010012732.tif 000004
【図３】
2010012732.tif 000005
【図４】
2010012732.tif 000006